【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
入力画像から、前記入力画像のうちの、階調が少なくエッジがはっきりした人工的な画像である人工画像を高品質にした出力画像を求める画像処理装置において、
前記入力画像の位相の特徴に応じて、その入力画像により求められる出力画像の画素である注目画素を、クラスに分類する位相分類手段と、
複数の人工画像を用いた学習により獲得された前記クラスごとの予測係数を格納する格納手段と、
前記入力画像と、前記注目画素の前記クラスの予測係数とを用いて演算することで、前記入力画像から前記出力画像を求める演算手段と
を備える画像処理装置。
【請求項２】
前記入力画像の波形の特徴に応じて、その入力画像により求められる出力画像の画素である注目画素を、クラスに分類する波形分類手段と、
前記位相分類手段により分類されたクラスと、前記波形分類手段により分類されたクラスのうちのいずれか一方を、前記注目画素の前記クラスとして選択する選択手段と
をさらに備える
請求項１に記載の画像処理装置。
【請求項３】
前記位相分類手段は、前記入力画像を構成する画素のうちの、隣接する画素どうしの画素値の差分の絶対値を、前記入力画像の位相の特徴として、前記注目画素をクラスに分類する
請求項１に記載の画像処理装置。
【請求項４】
前記位相分類手段は、前記入力画像を構成する画素のうちの、隣接する画素どうしの画素値の差分の絶対値の比を、前記入力画像の位相の特徴として、前記注目画素をクラスに分類する
請求項１に記載の画像処理装置。
【請求項５】
入力画像から、前記入力画像のうちの、階調が少なくエッジがはっきりした人工的な画像である人工画像を高品質にした出力画像を求める画像処理方法において、
前記入力画像の位相の特徴に応じて、その入力画像により求められる出力画像の画素である注目画素を、クラスに分類し、
前記入力画像と、複数の人工画像を用いた学習により獲得された前記クラスごとの予測係数のうち、前記注目画素の前記クラスの予測係数とを用いて演算することで、前記入力画像から前記出力画像を求める
ステップを含む画像処理方法。
【請求項６】
入力画像から、前記入力画像のうちの、階調が少なくエッジがはっきりした人工的な画像である人工画像を高品質にした出力画像を求める処理を、コンピュータに実行させるプログラムであって、
前記入力画像の位相の特徴に応じて、その入力画像により求められる出力画像の画素である注目画素を、クラスに分類し、
前記入力画像と、複数の人工画像を用いた学習により獲得された前記クラスごとの予測係数のうち、前記注目画素の前記クラスの予測係数とを用いて演算することで、前記入力画像から前記出力画像を求める
ステップを含むプログラム。
【請求項７】
階調が少なくエッジがはっきりした人工的な画像である人工画像を、高品質な人工画像に変換する変換処理を行うとき用いられる予測係数を学習する学習装置であって、
変換処理後の目標の人工画像となる教師画像と、前記変換処理が行われる前の前記人工画像に相当する生徒画像とを取得する取得手段と、
前記教師画像の画素である注目画素をクラスに分類するために用いる複数の画素から構成されるクラスタップを、前記生徒画像から抽出するクラスタップ抽出手段と、
抽出された前記クラスタップの位相の特徴に応じて、前記注目画素をクラスに分類する位相分類手段と、
前記注目画素を求めるのに用いる複数の画素から構成される予測タップを、前記生徒画像から抽出する予測タップ抽出手段と、
抽出された前記予測タップに基づいて、前記予測タップに対応する注目画素のクラスごとに、前記予測係数を用いて求められる前記注目画素の予測誤差を統計的に最小にする前記予測係数を演算する演算手段と
を備える学習装置。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】０２５５
【補正方法】変更
【補正の内容】
【０２５５】
ADRC処理部８７２は、クラスタップ抽出部８７１から供給されるクラスタップを構成する画素の画素値を、クラスタップの波形の特徴として、その画素値に対して、１ビットADRC処理を行う。そして、ADRC処理部８７２は、ADRC処理の結果得られる１ビットの画素値を所定の順番で並べたビット列を、注目画素の波形分類クラスとして決定する。従って、波形分類クラスは、クラスタップの波形を縮退した値となる。ADRC処理部８７２は、決定された波形分類クラスを、図１０の予測係数メモリ６５４に供給する。
【手続補正１０】
【補正対象書類名】明細書
【補正対象項目名】０２９０
【補正方法】変更
【補正の内容】
【０２９０】
広域人工画度算出部９１２は、特徴量分離部９５１、広域境界線比較部９５２、広域境界線メモリ９５３、および内分計算部９５４から構成され、広域特徴量抽出部９１１より供給されてくる広域特徴量に基づいて、広域人工画度Artbを算出し、人工画度生成部９１３に供給する。
【手続補正１１】
【補正対象書類名】明細書
【補正対象項目名】０２９８
【補正方法】変更
【補正の内容】
【０２９８】
狭域人工画度算出部９１５は、特徴量分離部９９１、狭域境界線比較部９９２、狭域境界線メモリ９９３、および内分計算部９９４から構成され、狭域特徴量抽出部９１４より供給されてくる狭域特徴量に基づいて、狭域人工画度Artnを算出し、人工画度生成部９１３に供給する。
【手続補正１２】
【補正対象書類名】明細書
【補正対象項目名】０３０６
【補正方法】変更
【補正の内容】
【０３０６】
重み計算部１０１３は、参照画素抽出部１０１２より供給されてくる参照画素毎に注目画素との距離に応じた重みを計算し乗算部１０１５に供給する。画素間差分計算部１０１４は、参照画素抽出部１０１２より供給されてくる参照画素毎に注目画素との差分値を求めて乗算部１０１５に供給する。乗算部１０１５は、重み計算部１０１３より供給されてくる重みと、画素間差分計算部１０１４より供給されてくる注目画素と参照画素との差分値とを乗算し、蓄積部１０１６に蓄積させる。
【手続補正１３】
【補正対象書類名】明細書
【補正対象項目名】０３１５
【補正方法】変更
【補正の内容】
【０３１５】
図３３のPNDP抽出部９７１は、バッファ１０５１、参照画素抽出部１０５２、長タップ抽出部１０５３、画素値蓄積部１０５４、最大値最小値抽出部１０５５、およびPNDP計算部１０５６から構成されている。
【手続補正１４】
【補正対象書類名】明細書
【補正対象項目名】０３４６
【補正方法】変更
【補正の内容】
【０３４６】
ステップＳ８７４において、隣接画素間差分計算部１０３３は、未処理の参照画素間（注目画素を含む）の画素値の差分絶対値を計算し、関数変換部１０３４に供給する。すなわち、図３９においては、隣接画素間差分計算部１０３３は、隣接画素間差分絶対値ｅとして、例えば、ｅ＝｜Ｑ（ｉ＋１，ｊ）−Ｑ（ｉ，ｊ）｜を計算して関数変換部１０３４に供給する。尚、画素間差分絶対値におけるＱ（ｉ＋１，ｊ），Ｑ（ｉ，ｊ）は、参照画素Ｑ（ｉ＋１，ｊ），Ｑ（ｉ，ｊ）のそれぞれの画素値である。また、図３９における黒丸印は、注目画素Ｑ（０，０）である。
【手続補正１５】
【補正対象書類名】明細書
【補正対象項目名】０３５２
【補正方法】変更
【補正の内容】
【０３５２】
ステップＳ８７７において、乗算部１０３６は、関数変換部１０３４より供給されてきた隣接画素間差分絶対値ｅと、重み計算部１０３５より供給されてきた重みｗeとを乗算し、ステップＳ８７８において、蓄積部１０３７に蓄積させる。すなわち、図３９の場合、乗算部１０３６は、関数変換部１０３４より供給されてきた変換結果である１または０と、重み計算部１０３５より供給されてきた重みｗeとを乗算し、乗算結果としてｗeまたは０を蓄積部１０３７に蓄積させる。
【手続補正１６】
【補正対象書類名】明細書
【補正対象項目名】０３８０
【補正方法】変更
【補正の内容】
【０３８０】
ステップＳ８３５において、狭域特徴量抽出部９１４のPNDP抽出部９７１は、PNDP抽出処理を実行し、出力位相変換部１１２より供給されるHD画像より画素毎にPNDPを抽出して特徴量合成部９３３に供給する。
【手続補正１７】
【補正対象書類名】明細書
【補正対象項目名】０３８５
【補正方法】変更
【補正の内容】
【０３８５】
ステップＳ９１６において、画素値蓄積部１０５４は、未処理の長タップが存在するか否かを判定し、未処理の長タップが存在する場合、その処理は、ステップＳ９１５に戻る。すなわち、全ての長タップについて、ステップＳ９１５，Ｓ９１６の処理が繰り返される。
【手続補正１８】
【補正対象書類名】明細書
【補正対象項目名】０３８６
【補正方法】変更
【補正の内容】
【０３８６】
そして、ステップＳ９１６において、未処理の長タップがない、すなわち、全ての長タップについて画素値が抽出され、画素値蓄積部１０５４に全て蓄積されていると判定された場合、ステップＳ９１７において、画素値蓄積部１０５４は、全ての長タップについて処理が終了したことを最大値最小値抽出部１０５５に通知する。これを受けて、最大値最小値抽出部１０５５は、画素値蓄積部１０５４に蓄積されている画素値のうち、最大値となる値と最小値となる値とを抽出してPNDP計算部１０５６に供給する。
【手続補正１９】
【補正対象書類名】明細書
【補正対象項目名】０４３５
【補正方法】変更
【補正の内容】
【０４３５】
バッファ１１０１は、基本的に図３１におけるバッファ１０１１と同様のものであり、出力位相変換部１１２より供給されるHD画像を一時的に記憶し、順次必要に応じて参照画素抽出部１１０２に供給する。参照画素抽出部１１０２は、基本的に図３１における参照画素抽出部１０１２と同様のものであり、順次、注目画素毎に参照画素を読み出して隣接画素間差分絶対値計算部１１０３に供給する。
【手続補正２０】
【補正対象書類名】明細書
【補正対象項目名】０４５２
【補正方法】変更
【補正の内容】
【０４５２】
図５２のBFP抽出部９３２は、バッファ１１２１、参照画素抽出部１１２２、隣接画素間差分絶対値計算部１１２３、並び替え部１１２４、下位抽出部１１２５、およびBFP計算部１１２６から構成されている。
【手続補正２１】
【補正対象書類名】明細書
【補正対象項目名】０４５３
【補正方法】変更
【補正の内容】
【０４５３】
バッファ１１２１は、基本的に図３２におけるバッファ１０３１と同様のものであり、出力位相変換部１１２より供給されるHD画像を一時的に記憶し、順次必要に応じて参照画素抽出部１１２２に供給する。参照画素抽出部１１２２は、基本的に図３２における参照画素抽出部１０３２と同様のものであり、順次、注目画素毎に参照画素を読み出して重み隣接画素間差分絶対値計算部１１２３に供給する。
【手続補正２２】
【補正対象書類名】明細書
【補正対象項目名】０４８４
【補正方法】変更
【補正の内容】
【０４８４】
図５７のSNDP抽出部９７２は、バッファ１１６１、参照画素抽出部１１６２、画素間差分計算部１１６３、関数変換部１１６４、重み計算部１１６５、乗算部１１６６、蓄積部１１６７、およびSNDP計算部１１６８から構成されている。
【手続補正２３】
【補正対象書類名】明細書
【補正対象項目名】０４９６
【補正方法】変更
【補正の内容】
【０４９６】
ステップＳ１０８７において、重み計算部１１６５は、補間画素生成部１１６５ａを制御し、補間画素を生成させる。例えば，図６０で注目画素Ｐ（０，０）と参照画素Ｐ（２，４）との場合、補間画素生成部１１６５ａは、補間画素Ｐ（０．５，１），Ｐ（１．５，３）の画素値を、例えば、それぞれ（Ｐ（０，１）＋Ｐ（１，１））／２，（Ｐ（１，３）＋Ｐ（１，１））／２などのように平均値として求める。尚、補間の方法はこれに限らず、それ以外の方法でもよく、例えば、重みを付加して総和を求めるようにしてもよい。